(57)【特許請求の範囲】
【請求項１】
空調対象気に対する平板状のフィルターが、除塵用セット位置に横倒れ姿勢でかつ前後方向の移動により挿脱自在にケーシング内に収納され、
空調対象気の通風路が、前記除塵用セット位置にセットされた前記フィルターの上面側から下面側に向けて空調対象気を通風させるように形成されている空調器であって、
前記フィルターを前後方向に案内する案内手段が、前記除塵用セット位置の前記フィルターを前方側に移動させるときに、前記フィルターの上面部が前記ケーシングにおけるフィルター対向部分と接触するのを回避させるように、前記フィルターを下方側に移動させるように構成されている空調器。
【請求項２】
前記ケーシングの上壁に、空調対象気の通気用開口が形成され、
前記フィルターが、前記除塵用セット位置において前記ケーシングの上壁に隣接する状態でセットされるように構成され、
前記通風路が、前記通気用開口を通して前記フィルターの上面側に空調対象気を通風させるように構成されている請求項１に記載の空調器。
【請求項３】
前記案内手段が、前記除塵用セット位置の前記フィルターを前方側に移動させるときの初期移動により、前記フィルターをその前方部分のみを下方側に案内して傾斜姿勢に姿勢変更させ、その初期移動のあとの前方側への移動により、フィルター全体を下方側に移動させるように構成されている請求項１または２に記載の空調器。
【請求項４】
前記案内手段が、ケーシング側の案内作用部としての載置案内面にて、フィルター側の被案内部を載置案内するように構成され、
前記案内作用部が、その後方側案内作用部分が前方側案内作用部分よりも高位となる状態に形成され、かつ、前記被案内部が、前記フィルターの前方側部分に備えさせる前方側被案内部分を、それよりも後方側の後方側被案内部分よりも下方に突出するように形成されて、
前記前方側被案内部分に対する前記前方側案内作用部分による載置案内が解除され、かつ、前記後方側被案内部分が前記後方側案内作用部分に載置案内された状態において、前記フィルターが前記傾斜姿勢になり、前記後方側被案内部分が前記前方側案内作用部分にて載置案内された状態において、前記フィルター全体が下方側に移動させるように構成されている請求項３に記載の空調器
【発明の詳細な説明】
【０００１】
【発明の属する技術分野】
本発明は、空調対象気に対する平板状のフィルターが、除塵用セット位置に横倒れ姿勢でかつ前後方向の移動により挿脱自在にケーシング内に収納され、空調対象気の通風路が、前記除塵用セット位置にセットされた前記フィルターの上面側から下面側に向けて空調対象気を通風させるように形成されている空調器に関する。
【０００２】
【従来の技術】
上記のような空調器は、例えば、空調対象気を熱交換させる熱交換器、熱交換された空調対象気を空調対象空間に送風するためのファンなどがケーシング内に収納され、そのケーシングを流し台や洗面台におけるケコミ部分や天井裏などに設置し、熱交換器に温水や冷水などの熱媒を供給して、その熱媒と空調対象気を熱交換させることにより、空調対象空間を暖房や冷房など空調するものである。
このような空調器では、空調対象気に対して除塵するための平板状のフィルターもケーシング内に収納され、そのフィルターは、例えば、図６に示すように、ケーシング３０に対して前後方向に移動可能で、フィルター３１を後方側に移動させることにより、除塵用セット位置に横倒れ姿勢でフィルター３１をセットして、空調対象気に対して除塵し、除塵用セット位置にセットされたフィルター３１を前方側に移動させることにより、フィルター３１をケーシング３０から取り外し、フィルター３１にて除塵された塵埃を取り除くようにしている。
【０００３】
説明を加えると、図６に示す空調器では、ケーシング３０の上壁に、空調対象気の通気用開口３２が形成され、空調対象気の通風路３３が、通気用開口３２を通して除塵用セット位置にセットされたフィルター３１の上面側に空調対象気を通風させるように形成され、除塵用セット位置においてフィルター３１がケーシング３０の上壁に隣接する状態でセットされるようにしている。
そして、フィルター３１を前後方向に案内する案内手段３４は、ケーシング３０側の水平面に沿う載置案内面３５にて、フィルター３１側の被案内部３６を載置案内するように構成され、除塵用セット位置のフィルター３１を前方側に移動させるときに、フィルター３１を水平方向にスライド移動させることにより、除塵用セット位置のフィルター３１を前方側に移動させるときに、上下方向において除塵用セット位置と同高さで、フィルター３１を前方側に移動させるように構成されている。
【０００４】
ちなみに、図６に示す空調器では、ケーシング３０内には、空調対象気を熱交換させる熱交換器８、および、空調対象気を通気用開口３２を通して吸い込み、熱交換された空調対象気を前方の吹き出し口７から吹き出すためのファン９が収納されている。
【０００５】
【発明が解決しようとする課題】
しかしながら、上記従来の空調器では、フィルターを前後方向に案内する案内手段が、除塵用セット位置のフィルターを前方側に移動させるときに、上下方向において除塵用セット位置と同高さで、フィルターを前方側に移動させているので、除塵用セット位置のフィルターを前方側に移動させるときに、フィルターにて除塵された塵埃が、フィルターの上面部と隣接するケーシングの上壁、とくに、通気用開口の開口縁部などのケーシングにおけるフィルタ対向部分と接触する可能性があり、その接触によって、フィルターにて除塵された塵埃が、ケーシングにおけるフィルター対向部分に引っかかり、ケーシング内に残存する虞があった。
したがって、除塵用セット位置にセットされたフィルターにて空調対象気に対して除塵しても、除塵用セット位置のフィルターをケーシングから取り外す際に、フィルターにて除塵された塵埃がケーシング内に残ってしまう虞があった。
【０００６】
本発明は、かかる点に着目してなされたものであり、その目的は、除塵用セット位置のフィルターをケーシングから取り外すときに、フィルターにて除塵された塵埃を的確にケーシング外に取り出すことが可能となる空調器を提供する点にある。
【０００７】
【課題を解決するための手段】
この目的を達成するために、請求項１に記載の発明によれば、空調対象気に対するフィルターが、除塵用セット位置に横倒れ姿勢でかつ前後方向の移動により挿脱自在にケーシング内に収納され、空調対象気の通風路が、前記除塵用セット位置にセットされた前記フィルターの上面側から下面側に向けて空調対象気を通風させるように形成されている空調器において、
前記フィルターを前後方向に案内する案内手段が、前記除塵用セット位置の前記フィルターを前方側に移動させるときに、前記フィルターの上面部が前記ケーシングにおけるフィルター対向部分と接触するのを回避させるように、前記フィルターを下方側に移動させるように構成されている。
【０００８】
すなわち、除塵用セット位置にセットされたフィルターを、案内手段による案内作用により、フィルターの上面部とケーシングにおけるフィルター対向部分との接触を回避するように、フィルターを下方側に移動させて前方側に移動させることが可能となるので、フィルターにて除塵された塵埃とケーシングにおけるフィルター対向部分との接触を回避し、その接触により、フィルターにて除塵された塵埃がケーシング内に残ってしまうことを防止して、除塵用セット位置にセットされたフィルターをケーシングから取り外すことが可能となる。
したがって、除塵用セット位置のフィルターをケーシングから取り外すときに、フィルターにて除塵された塵埃がケーシング内に残ることを防止して、その塵埃を的確にケーシング外に取り出すことが可能となる空調器を提供できるに至った。
【０００９】
請求項２に記載の発明によれば、前記ケーシングの上壁に、空調対象気の通気用開口が形成され、前記フィルターが、前記除塵用セット位置において前記ケーシングの上壁に隣接する状態でセットされるように構成され、前記通風路が、前記通気用開口を通して前記フィルターの上面側に空調対象気を通風させるように構成されている。
【００１０】
すなわち、ケーシングの上壁に形成された通気用開口を通して、ケーシングの上壁に隣接する状態で除塵用セット位置にセットされたフィルターの上面側に空調対象気を通風させることが可能となるので、除塵用セット位置とケーシングの上壁との間隔を小さくし、空調器を薄く小型にしながら、除塵用セット位置にセットされたフィルターにて空調対象気に対して除塵することが可能となる。
【００１１】
そして、除塵用セット位置とケーシングの上壁との間隔を小さくすることによって、フィルターの上面部とその上方のケーシングにおけるフィルター対向部分との間隔が小さくなり、フィルターを前方側に移動させるときに、フィルターにて除塵された塵埃が、ケーシングにおけるフィルタ対向部分と接触し易い状態となるが、請求項１に記載の如く、除塵用セット位置にセットされたフィルターを、案内手段による案内作用により、フィルターの上面部とケーシングにおけるフィルター対向部分との接触を回避するように、フィルターを下方側に移動させて前方側に移動させることが可能となるので、除塵用セット位置とケーシングの上壁との間隔を小さくし、空調器を薄く小型にしながら、しかも、除塵用セット位置のフィルターをケーシングから取り外すときに、フィルターにて除塵された塵埃がケーシング内に残ってしまうのを防止して、その塵埃を的確にケーシング外に取り出すことが可能となる。
【００１２】
請求項３に記載の発明によれば、前記案内手段が、前記除塵用セット位置の前記フィルターを前方側に移動させるときの初期移動により、前記フィルターをその前方部分のみを下方側に案内して傾斜姿勢に姿勢変更させ、その初期移動のあとの前方側への移動により、フィルター全体を下方側に移動させるように構成されている。
【００１３】
すなわち、除塵用セット位置にセットされたフィルターをケーシングから取り外すときには、案内手段による案内作用により、前方側への初期移動に伴いフィルターの前方部分のみを下方側に案内して傾斜姿勢に姿勢変更させ、フィルターを下方側に移動させ易い姿勢に姿勢変更させたのち、初期移動のあとの前方側への移動に伴いフィルター全体を下方側に移動させることが可能となるので、除塵用セット位置のフィルターを前方側に移動させるときに、フィルターの上面部がケーシングにおけるフィルター対向部分と接触するのを回避させるように、フィルターを下方側に移動させ易く、フィルターの上面部がケーシングにおけるフィルター対向部分と接触するのを的確に回避することが可能となる。
【００１４】
請求項４に記載の発明によれば、前記案内手段が、ケーシング側の案内作用部としての載置案内面にて、フィルター側の被案内部を載置案内するように構成され、前記案内作用部が、その後方側案内作用部分が前方側案内作用部分よりも高位となる状態に形成され、かつ、前記被案内部が、前記フィルターの前方側部分に備えさせる前方側被案内部分を、それよりも後方側の後方側被案内部分よりも下方に突出するように形成されて、前記前方側被案内部分に対する前記前方側案内作用部分による載置案内が解除され、かつ、前記後方側被案内部分が前記後方側案内作用部分に載置案内された状態において、前記フィルターが前記傾斜姿勢になり、前記後方側被案内部分が前記前方側案内作用部分にて載置案内された状態において、前記フィルター全体が下方側に移動させるように構成されている。
【００１５】
すなわち、除塵用セット位置にセットされたフィルターをケーシングから取り外すときに、前方側への初期移動により、フィルター側の被案内部における前方側被案内部分に対するケーシング側の案内作用部における前方側案内作用部分による載置案内が解除され、かつ、フィルター側の被案内部における後方側被案内部分がケーシング側の案内作用部における後方側案内作用部分に載置案内されて、フィルターを傾斜姿勢に姿勢変更させ、初期移動のあとの前方側への移動により、フィルター側の被案内部における後方側被案内部分がケーシング側の案内作用部における前方側案内作用部分にて載置案内されて、フィルター全体を下方側に移動させることが可能となる。
【００１６】
したがって、ケーシング側に、後方側案内作用部分が前方側案内作用部分よりも高位となる案内作用部を形成し、フィルター側に、前方側被案内部分が後方側被案内部分よりも下方に突出する案内作用部を形成するという容易な構造によって、除塵用セット位置のフィルターを前方側に移動させるときの初期移動により、フィルターを傾斜姿勢に姿勢変更させ、その初期移動のあとの前方側への移動により、フィルター全体を下方側に移動させることが可能となって、案内手段の構造の簡素化を図ることが可能となる。
【００１７】
【発明の実施の形態】
本発明にかかる空調器を温水などの熱媒が供給される暖房器に適応した例を図面に基づいて説明する。
【００１８】
この暖房器は、図１〜図４に示すように、供給される温水などの熱媒にて空調対象気を加熱して送風させる本体ユニット１と、その本体ユニット１に温水などの熱媒を循環供給する熱源機２と、本体ユニット１および熱源機２の作動を制御する制御部Ｈなどを備えて構成されている。
そして、本体ユニット１は、洗面所や流し台などの水処理設備３におけるケコミ部分４に切欠部５を通して入り込ませた状態で設置され、本体ユニット１において水処理設備３の正面部に面する側には、吸い込み口６および吹き出し口７が設けられている。
【００１９】
前記本体ユニット１は、熱源機２から供給される熱媒にて吸い込み口６から吸い込まれた空調対象気を加熱させる熱交換器８、空調対象気を吸い込み口６を通して吸い込み、その吸い込まれた空調対象気を吹き出し口７を通して、水処理設備３の正面部における足元空間に吹き出すためのファン９、空調対象気に対して除塵する平板状のフィルター１０の夫々をケーシング１１内に収納して構成されている。
前記吹き出し口７には、空調対象気の吹出し方向を変更する手動式の風向板１６が設けられ、吹き出し口７から吹き出される空調対象気の温度を検出する温度センサ１７が設けられている。
【００２０】
前記フィルター１０は、図２〜図５に示すように、除塵用セット位置に横倒れ姿勢でかつ前後方向の移動により挿脱自在にケーシング１１内に収納され、空調対象気の通風路１８が、除塵用セット位置にセットされたフィルター１０の上面側から下面側に向けて空調対象気を通風させるように形成されている。
説明を加えると、ケーシング１１の上壁に、空調対象気の通気用開口１９が形成され、フィルター１０が、除塵用セット位置においてケーシング１１の上壁に隣接する状態でセットされるように構成され、通風路１８が、吸い込み口６から吸い込まれた空調対象気を通気用開口１９を通してフィルター１０の上面側に通風させるように構成されている。
【００２１】
前記フィルター１０を前後方向に案内する案内手段２０が、除塵用セット位置のフィルター１０を前方側に移動させるときに、フィルター１０の上面部がケーシング１１におけるフィルター対応部分と接触するのを回避させるように、フィルター１０を下方側に移動させるように構成されている。
そして、案内手段２０が、除塵用セット位置のフィルター１０を前方側に移動させるときの初期移動により、フィルター１０をその前方部分のみを下方側に案内して傾斜姿勢に姿勢変更させ、その初期移動のあとの前方側への移動により、フィルター１０全体を下方側に移動させるように構成されている。
【００２２】
説明を加えると、案内手段２０が、ケーシング１１側の案内作用部２１としての載置案内面にて、フィルター１０側の被案内部２２を載置案内するように構成されている。
前記ケーシング１１側の案内作用部２１は、その後方側案内作用部分２１ｂが前方側案内作用部分２１ａよりも高位となる状態に形成され、前方側案内作用部分２１ａから後方側案内作用部分２１ｂに後方側ほど高位となる中間傾斜案内作用部分２１ｃが形成され、前方側案内作用部分２１ａ、中間傾斜案内作用部分２１ｃ、および、後方側案内作用部分２１ｂにて構成されている。
また、フィルター１０側の被案内部２２は、フィルター１０の前方側部分に備えさせる前方側被案内部２２ａを、それよりも後方側の後方側被案内部２２ｂよりも下方に突出するように形成され、前方側被案内部２２ａから後方側被案内部２２ｂに後方側ほど下方への突出量が小さくなる中間傾斜被案内部２２ｃが形成され、前方側被案内部２２ａ、中間傾斜被案内部２２ｃ、および、後方側被案内部２２ｂにて構成されている。
【００２３】
そして、被案内部２２における前方側被案内部分２２ａに対する案内作用部２１における前方側案内作用部分２１ａによる載置案内が解除され、かつ、被案内部２２における後方側被案内部分２２ｂが案内作用部２１における後方側案内作用部分２１ｂに載置案内されて、フィルター１０を傾斜姿勢に姿勢変更させ、被案内部２２における後方側被案内部分２２ｂが案内作用部２１における前方側案内作用部分２１ａにて載置案内されて、フィルター全体を下方側に移動させるように構成されている。
【００２４】
以下、フィルター１０を除塵用セット位置にセットした状態から、フィルター１０を前方側に移動させて、フィルター１０をケーシング１１から取り外す際の案内手段２０の案内作用などについて説明を加える。
【００２５】
まず、フィルター１０が除塵用セット位置にセットされているときには、図５の（イ）に示すように、前方側被案内部分２２ａが前方側案内作用部分２１ａにて載置され、後方側被案内部分２２ｂが後方側案内作用部分２１ｂにて載置されて、フィルター１０がケーシング１１の上壁に隣接する状態でほぼ水平方向に沿う横倒れ姿勢でセットされている。
このようにして、除塵用セット位置にセットされているフィルター１０が、吸い込み口６から吸い込まれ、通気用開口１９を通して上面側から通風する空調対象気に対して除塵するように構成されている。
【００２６】
そして、除塵用セット位置にセットされたフィルター１０を前方側に移動させるときの初期移動により、図５の（ロ）に示すように、前方側被案内部分２２ａに対する前方側案内作用部分２１ａによる載置案内が解除され、中間被案内部分２２ｃが前方側案内作用部分２１ａに載置案内され、かつ、後方側被案内部分２２ｂが後方側案内作用部分２１ｂに載置案内されて、フィルター１０を横倒れ姿勢からその前方部分のみを下方側に案内して傾斜姿勢に姿勢変更させる。
【００２７】
その後、その初期移動のあとの前方側への移動により、図５の（ハ）に示すように、後方側被案内部分２２ｂに対する後方側案内作用部分２１ｂによる載置案内が解除され、かつ、後方側被案内部分２２ｂが中間傾斜案内作用部分２１ｃに載置案内されて、フィルター１０の後方部分を下方側に案内させる。
そして、後方側被案内部分２２ｂに対する中間傾斜案内作用部分２１ｃによる載置案内が解除されて、後方側被案内部分２２ｂが前方側案内作用部分２１ａにて載置案内されて、フィルター１０を傾斜姿勢から横倒れ姿勢に姿勢変更させて、フィルター１０全体を下方側に移動させるようにしている。
【００２８】
ちなみに、ケーシング１１側の案内作用部２１としての載置案内面には、横方向の両端部付近に、上方に突出した突出部２３が形成され、この突出部２３により、熱交換器８の上面部を固定するために載置案内面に設けられるネジ部材２４を避けた状態で、ケーシング１１側の案内作用部２１としての載置案内面にて、フィルター１０側の被案内部２２を載置案内するように構成されている。
【００２９】
このようにして、除塵用セット位置にセットされたフィルター１０を、案内手段２０による案内作用によって、前方側に移動させるときの初期移動により、フィルター１０をその前方部分のみを下方側に案内して傾斜姿勢に姿勢変更させ、その初期移動のあとの前方側への移動により、フィルター全体を下方側に移動させて、フィルター１０の上面部が、通気用開口１９の開口縁部など、ケーシング１１におけるフィルター対向部分と接触するのを回避することができるので、フィルター１０にて除塵された塵埃とケーシング１１におけるフィルター対向部分との接触を回避して、その接触により、フィルター１０にて除塵された塵埃がケーシング１１内に残ってしまうのを防止して、その塵埃を的確にケーシング１１外に取り出すことができることになる。
【００３０】
また、本体ユニット１において水処理設備３の正面部に面する側には、本体ユニット１の作動開始および作動停止を指令する運転スイッチ１２、本体ユニット１が作動状態であることを表示する運転ランプ１３、運転スイッチ１２による作動開始の指令を受け付けないロック状態を指令するロックスイッチ１４、そのロック状態であることを表示するロックランプ１５などが設けられている。
【００３１】
そして、制御部Ｈは、運転スイッチ１２にて作動開始が指令されると、運転ランプ１３を点灯させ、熱源機２から熱交換器８に熱媒を供給したのち、ファン９の作動を開始し、吸い込み口６から吸い込まれた空調対象気を加熱させ、その加熱された空調対象気を吹き出し口７から水処理設備３の正面部における足元空間に吹き出すように構成されている。
また、制御部Ｈは、本体ユニット１の作動中に、温度センサ１７の検出温度が上限設定温度（例えば、７１℃）以上になると、吹き出し口７の前方に障害物が置かれている異常状態であるとして、その異常状態を報知したのち、熱源機２の作動およびファン９の作動を停止させるように構成されている。
【００３２】
このようにして、制御部Ｈは、吹き出し口７の前方に障害物が置かれている異常状態を自動的に判別して、本体ユニット１の作動を停止させることによって、その異常状態のまま本体ユニット１の作動が継続されることによる異常の発生を未然に防止するようにしている。
【００３３】
〔別実施形態〕
（１）上記実施形態では、ケーシング１１の上壁に、通気用開口１９が形成され、フィルター１０が、除塵用セット位置においてケーシング１１の上壁に隣接する状態でセットされるようにしているが、通気用開口１９の形成箇所は、ケーシング１１の上壁に限られるものではなく、例えば、ケーシング１１の横側壁部に、通気用開口を形成し、フィルター１０が、除塵用セット位置においてケーシング１１の上壁と離間する状態でセットされ、通気用開口からの空調対象気を除塵用セット位置のフィルター１０の上面側に案内する案内路を設けて実施することも可能である。
【００３４】
（２）上記実施形態では、案内手段２０が、除塵用セット位置のフィルター１０を前方側に移動させるときの初期移動により、フィルター１０を横倒れ姿勢から傾斜姿勢に変更させ、その初期移動のあとの前方側への移動により、フィルター１０全体を下方側に移動させるようにしているが、例えば、除塵用セット位置にセットされたフィルター１０を前方側に移動させるときの初期移動により、前方側被案内部分２２ａに対する前方側案内作用部分２１ａによる載置案内が解除されるとともに、後方側被案内部分２２ｂに対する後方側案内作用部分２１ｂによる載置案内も解除されて、フィルター１０を横倒れ姿勢のままで全体的に下方側に移動させるようにして、除塵用セット位置のフィルター１０を横倒れ姿勢のまま下方側に移動させるようにして実施することも可能であり、案内手段の構成については、除塵用セット位置のフィルター１０を前方側に移動させるときに、フィルター１０の上面部がケーシング１１におけるフィルター対向部分と接触するのを回避させるように、下方側に移動させるものであればよい。
【００３５】
（３）上記実施形態では、案内手段２０が、ケーシング１１側の案内作用部２１としての載置案内面にて、フィルター１０側の被案内部２２を載置案内するようにしているが、例えば、ケーシング１１側に案内溝を形成し、フィルター１０側に案内溝に案内される被案内ピンを設けて、案内手段が、ケーシング１１側の案内溝にて、フィルター１０側の被案内ピンを案内させるように構成して実施することも可能である。
【００３６】
説明を加えると、例えば、フィルター１０の前方部分および後方部分の夫々に被案内ピンを設け、ケーシング１１には、案内溝として、ケーシング１１の前方側から後方側に水平方向に沿う水平溝部分と、その直線溝部に連なり後方側ほど高位となる傾斜溝部分と、水平溝部分の前後方向の中間箇所から連なり、かつ、傾斜溝部分と平行となる状態で、後方側ほど高位となる中間傾斜溝部分とを形成する。
そして、除塵用セット位置のフィルター１０を前方側に移動させるときに、フィルター１０の後方部分の被案内ピンを傾斜溝部にて案内させるとともに、フィルター１０の前方部分の被案内ピンを中間傾斜溝部にて案内させて、フィルター１０を横倒れ姿勢のまま、フィルター１０全体を下方側に移動させたのち、フィルター１０の後方部分および前方部分の被案内ピンの夫々を水平溝部にてフィルター１０全体を前方側に移動させるようにして実施することが可能となる。
【００３７】
（４）上記実施形態では、本発明にかかる空調器を、水処理設備３のケコミ部分４に設置される暖房器に適応した例を示したが、天井裏などに設置される冷房器に適応することも可能であり、その他各種の空調器に適応することが可能である。
【図面の簡単な説明】
【図１】暖房器の設置状態を示す図
【図２】暖房器の斜視図
【図３】暖房器の分解斜視図
【図４】暖房器の概略構成図
【図５】暖房器における前後方向でのフィルターの移動を示す図
【図６】従来の暖房器におけるフィルターの前後方向での移動を示す図
【符号の説明】
１０            フィルター
１１            ケーシング
１８            通風路
１９            通気用開口
２０            案内手段
２１            案内作用部
２２            被案内部
【図１】
0003935732.tif 000002
【図２】
0003935732.tif 000003
【図３】
0003935732.tif 000004
【図４】
0003935732.tif 000005
【図５】
0003935732.tif 000006
【図６】
0003935732.tif 000007